【手続補正書】
【提出日】平成17年1月12日(2005.1.12)
【手続補正１】
【補正対象書類名】明細書
【補正対象項目名】特許請求の範囲
【補正方法】変更
【補正の内容】
【特許請求の範囲】
【請求項１】
複数の画素を有する液晶表示装置において、
前記複数の画素はそれぞれ、複数の記憶回路を有することを特徴とする液晶表示装置。
【請求項２】
複数の画素を有する液晶表示装置において、
前記複数の画素はそれぞれ、ｎビット（ｎは自然数、２≦ｎ）のデジタル映像信号をｍフレーム分（ｍは自然数、１≦ｍ）記憶するｎ×ｍ個の記憶回路を有することを特徴とする液晶表示装置。
【請求項３】
複数の画素を有する液晶表示装置において、
前記複数の画素はそれぞれ、ソース信号線と、ｎ本（ｎは自然数、２≦ｎ）の書き込み用ゲート信号線と、ｎ本の読み出し用ゲート信号線と、ｎ個の書き込み用トランジスタと、ｎ個の読み出し用トランジスタと、ｎビットのデジタル映像信号をｍフレーム分（ｍは自然数、１≦ｍ）記憶するｎ×ｍ個の記憶回路と、ｎ個の書き込み用記憶回路選択部と、ｎ個の読み出し用記憶回路選択部と、液晶素子とを有し、
前記ｎ個の書き込み用トランジスタのゲート電極はそれぞれ、前記ｎ本の書き込み用ゲート信号線の、それぞれ異なるいずれか１本と電気的に接続され、ソース領域とドレイン領域とはそれぞれ、一方はソース信号線と電気的に接続され、他方は前記ｎ個の書き込み用記憶回路選択部の、それぞれ異なるいずれか１個の信号入力部と電気的に接続され、
前記ｎ個の書き込み用記憶回路選択部はそれぞれｍ個の信号出力部を有し、前記ｍ個の信号出力部はそれぞれ、異なる前記記憶回路の信号入力部と電気的に接続され、
前記ｎ個の読み出し用記憶回路選択部はそれぞれｍ個の信号入力部を有し、前記ｍ個の信号入力部はそれぞれ、前記異なる前記記憶回路の信号出力部と電気的に接続され、
前記ｎ個の読み出し用トランジスタのゲート電極はそれぞれ、前記ｎ本の読み出し用ゲート信号線の、それぞれ異なるいずれか１本と電気的に接続され、ソース領域とドレイン領域とはそれぞれ、一方は前記ｎ個の前記読み出し用記憶回路選択部の、それぞれ異なるいずれか１個の信号出力部と電気的に接続され、他方は、前記液晶素子の一方の電極と電気的に接続されていることを特徴とする液晶表示装置。
【請求項４】
複数の画素を有する液晶表示装置において、
前記複数の画素はそれぞれ、ｎ本（ｎは自然数、２≦ｎ）のソース信号線と、書き込み用ゲート信号線と、ｎ本の読み出し用ゲート信号線と、ｎ個の書き込み用トランジスタと、ｎ個の読み出し用トランジスタと、ｎビットのデジタル映像信号をｍフレーム分（ｍは自然数、１≦ｍ）記憶するｎ×ｍ個の記憶回路と、ｎ個の書き込み用記憶回路選択部と、ｎ個の読み出し用記憶回路選択部と、液晶素子とを有し、
前記ｎ個の書き込み用トランジスタのゲート電極はそれぞれ、前記書き込み用ゲート信号線と電気的に接続され、ソース領域とドレイン領域とはそれぞれ、一方は前記ｎ本のソース信号線の、それぞれ異なる１本と電気的に接続され、他方は前記ｎ個の書き込み用記憶回路選択部の、それぞれ異なるいずれか１個の信号入力部と電気的に接続され、
前記ｎ個の書き込み用記憶回路選択部はそれぞれｍ個の信号出力部を有し、前記ｍ個の信号出力部はそれぞれ、異なる前記記憶回路の信号入力部と電気的に接続され、
前記ｎ個の読み出し用記憶回路選択部はそれぞれｍ個の信号入力部を有し、前記ｍ個の信号入力部はそれぞれ、前記異なる前記記憶回路の信号出力部と電気的に接続され、
前記ｎ個の読み出し用トランジスタのゲート電極はそれぞれ、前記ｎ本の読み出し用ゲート信号線の、それぞれ異なるいずれか１本と電気的に接続され、ソース領域とドレイン領域とはそれぞれ、一方は前記ｎ個の前記読み出し用記憶回路選択部の、それぞれ異なるいずれか１個の信号出力部と電気的に接続され、他方は、前記液晶素子の一方の電極と電気的に接続されていることを特徴とする液晶表示装置。
【請求項５】
請求項３もしくは請求項４のいずれか1項において、
前記書き込み用記憶回路選択部は、前記ｍ個の記憶回路のうちいずれか１個を選択して、前期書き込み用トランジスタのソース領域とドレイン領域のうち一方と導通して前記デジタル映像信号の記憶回路への書き込みを行い、
前記読み出し用記憶回路選択部は、前記デジタル映像信号が記憶されている前記記憶回路のうちいずれか１個を選択して、前記読み出し用トランジスタのソース領域とドレイン領域のうち一方と導通して前記記憶されたデジタル映像信号の読み出しを行うことを特徴とする液晶表示装置。
【請求項６】
請求項３において、
クロック信号とスタートパルスとにしたがって、順次サンプリングパルスを出力するシフトレジスタと、
前記サンプリングパルスにしたがって、ｎビット（ｎは自然数、２≦ｎ）のデジタル映像信号を保持する第１のラッチ回路と、
前記第１のラッチ回路に保持された前記ｎビットのデジタル映像信号が転送される第２のラッチ回路と、
前記第２のラッチ回路に転送された前記ｎビットのデジタル映像信号を１ビットずつ順に選択し、前記ソース信号線に出力する、ビット信号選択スイッチとを有することを特徴とする液晶表示装置。
【請求項７】
請求項４において、
クロック信号とスタートパルスとにしたがって、順次サンプリングパルスを出力するシフトレジスタと、
前記サンプリングパルスにしたがって、ｎビット（ｎは自然数、２≦ｎ）のデジタル映像信号のうち、１ビットの前記デジタル映像信号を保持する第１のラッチ回路と、
前記第１のラッチ回路に保持された前記１ビットの前記デジタル映像信号が転送され、前記ソース信号線に前記１ビットの前記デジタル映像信号を出力する第２のラッチ回路とを有することを特徴とする液晶表示装置。
【請求項８】
請求項４において、
クロック信号とスタートパルスとにしたがって、順次サンプリングパルスを出力するシフトレジスタと、
前記サンプリングパルスにしたがって、ｎビット（ｎは自然数、２≦ｎ）のデジタル映像信号のうち、１ビットの前記デジタル映像信号を保持し、前記ソース信号線に前記１ビットの前記デジタル映像信号を出力する第１のラッチ回路とを有することを特徴とする液晶表示装置。
【請求項９】
請求項１乃至請求項８のいずれか１項において、
前記記憶回路はスタティック型メモリ（ＳＲＡＭ）であることを特徴とする液晶表示装置。
【請求項１０】
請求項１乃至請求項８のいずれか１項において、
前記記憶回路は強誘電体メモリ（ＦｅＲＡＭ）であることを特徴とする液晶表示装置。
【請求項１１】
請求項１乃至請求項８のいずれか１項において、
前記記憶回路はダイナミック型メモリ（ＤＲＡＭ）であることを特徴とする液晶表示装置。
【請求項１２】
請求項１乃至請求項１１のいずれか１項において、
前記記憶回路は、ガラス基板上に形成されていることを特徴とする液晶表示装置。
【請求項１３】
請求項１乃至請求項１１のいずれか１項において、
前記記憶回路は、プラスチック基板上に形成されていることを特徴とする液晶表示装置。
【請求項１４】
請求項１乃至請求項１１のいずれか１項において、
前記記憶回路は、ステンレス基板上に形成されていることを特徴とする液晶表示装置。
【請求項１５】
請求項１乃至請求項１１のいずれか１項において、
前記記憶回路は、単結晶ウェハ上に形成されていることを特徴とする液晶表示装置。
【請求項１６】
ｎビット（ｎは自然数、２≦ｎ）のデジタル映像信号を用いて映像の表示を行う液晶表示装置の駆動方法において、
前記液晶表示装置は、ソース信号線駆動回路と、ゲート信号線駆動回路と、複数の画素とを有し
前記ソース信号線駆動回路においては、
シフトレジスタからサンプリングパルスが出力されてラッチ回路に入力され、
前記ラッチ回路においては、前記サンプリングパルスにしたがって前記デジタル映像信号が保持され、
前記保持されたデジタル映像信号はソース信号線へと書き込みが行われ、
前記ゲート信号線駆動回路においては、
ゲート信号線選択パルスが出力されてゲート信号線が選択され、
前記複数の画素においてはそれぞれ、
前記ゲート信号線が選択されている行において、
ソース信号線より入力されるｎビットのデジタル映像信号の記憶回路への書き込みと、
前記記憶回路に記憶された前記ｎビットのデジタル映像信号の読み出しとを行うことを特徴とする液晶表示装置の駆動方法。
【請求項１７】
ｎビット（ｎは自然数、２≦ｎ）のデジタル映像信号を用いて映像の表示を行う液晶表示装置の駆動方法において、
前記液晶表示装置は、ゲート信号線駆動回路と、複数の画素とを有し
前記ソース信号線駆動回路においては、
シフトレジスタからサンプリングパルスが出力されてラッチ回路に入力され、
前記ラッチ回路においては、前記サンプリングパルスにしたがって前記デジタル映像信信号が保持され、
前記保持されたデジタル映像信号はソース信号線へと書き込みが行われ、
前記ゲート信号線駆動回路は、ゲート信号線選択パルスを出力して、前記ゲート信号線を、１行目から順次選択し、
前記複数の画素においては、１行目から順次前記ｎビットのデジタル映像信号の書き込みが行われることを特徴とする液晶表示装置の駆動方法。
【請求項１８】
ｎビット（ｎは自然数、２≦ｎ）のデジタル映像信号を用いて映像の表示を行う液晶表示装置の駆動方法において、
前記液晶表示装置は、ゲート信号線駆動回路と、複数の画素とを有し
前記ソース信号線駆動回路においては、
シフトレジスタからサンプリングパルスが出力されてラッチ回路に入力され、
前記ラッチ回路においては、前記サンプリングパルスにしたがって前記デジタル映像信信号が保持され、
前記保持されたデジタル映像信号はソース信号線へと書き込みが行われ、
前記ゲート信号線駆動回路は、ゲート信号線選択パルスを、前記ゲート信号線の任意の行を特定して出力することによって選択し、
前記複数の画素においては、前記ゲート信号線が選択されている任意の行において、前記ｎビットのデジタル映像信号の書き込みが行われることを特徴とする液晶表示装置の駆動方法。
【請求項１９】
請求項１６乃至請求項１８のいずれか１項において、
静止画像の表示期間においては、
前記記憶回路に記憶された前記ｎビットのデジタル映像信号を繰り返し読み出して静止画像の表示を行うことにより、前記ソース信号線駆動回路を停止することを特徴とする液晶表示装置の駆動方法。
【請求項２０】
請求項１乃至請求項１５のいずれか１項に記載の前記液晶表示装置を用いたことを特徴とする電子装置。
【請求項２１】
請求項１６乃至請求項１９のいずれか１項に記載の前記液晶表示装置の駆動方法を用いたことを特徴とする電子装置。
【請求項２２】
請求項２０もしくは請求項２１のいずれか１項において、前記電子装置とは、テレビ、パーソナルコンピュータ、携帯端末、ビデオカメラ、ヘッドマウントディスプレイのいずれか１つであることを特徴とする電子装置。